(57)【要約】      （修正有）【課題】連結用金具と埋込体を容易に着脱できる構造を有した中空スラブ用空部型枠埋込材を提供する。【解決手段】発明によれば、埋込体要素（１２ａ）に連結用ねじ（１１ｃ）と螺合する支圧ナット（１３）が回転不能に押入れてあるため、埋込体（１２）を回転することで支圧ナット（１３）が連結用ねじ（１１ｃ）と分離し、中空スラブ用中空部型枠埋込体（１０）から埋込体（１２）が容易に分離できる。【選択図】図３
2009167604.tif 000002
【特許請求の範囲】
【請求項１】
コンクリートスラブ内に四方に並列される小空間の中空部を形成する中空スラブ工法に用いられる中空部型枠埋込材（１０）であって、
2本の支持鉄筋（１１ａ）に一定間隔に設けられたT型鉄筋（１１ｂ）の下部に連結用ネジ（１１ｃ）が形成されている連結金具（１１）と
前記連結金具（１１）と螺合した埋込体（１２）、から成る事を特徴とする中空スラブ用中空部型枠埋込材（１０）
【請求項２】
前記埋込体（１２）が、型枠外殻を２つ割りにした如き形状をし、前記連結用ねじ（１１ｃ）が貫通する貫通孔（１２ｂ）が形成された埋込体要素（１２ａ１、１２ａ２）と
円筒部（１３ａ）に前記連結用ネジ（１１ｃ）が螺合するめねじ孔（１３ｃ）と、前記貫通孔（１２ｂ）内で該円筒部（１３ａ）が回転することを防止する回転防止リブ（１３ｄ）と、該円筒部（１３ａ）が該貫通孔（１２ｂ）から引き抜かれることを防止したつば（１３ｅ）が設けられ、該貫通孔（１２ｂ）に前記埋込体要素（１２ａ１、１２ａ２）の内側から回転不能に押入れられることで該埋込体要素（１２ａ１、１２ａ２）と連結し、該連結用ねじ（１１ｃ）と螺合する支圧ナット（１３）と、
前記支圧ナット（１３）を押入れた前記埋込体要素（１２ａ１、１２ａ２）を開口周縁（１２ｃ）を合わせて組み立てることにより形成される事、を特徴とする請求項１に記載した中空スラブ用中空部型枠埋込材（１０）
【発明の詳細な説明】
【技術分野】
【０００１】
本発明は、建築物の鉄筋コンクリートスラブ内に軽量材からなる埋込体（ボイド）を埋設して軽量のコンクリートスラブを形成する技術に関する。
【背景技術】
【０００２】
軽量材からなる埋込体をコンクリート内に埋設したコンクリートボイドスラブ工法が知られている。
すなわち、ボイドと称される軽量材から成る埋込体を型枠板の上面に適宜配置し、その後、コンクリートを打設するものである。
これにより、コンクリート内に中空部が形成され、コンクリートスラブの軽量化を図り、また、遮音性等を向上させることができる。
【０００３】
ところで、従来のコンクリートボイドスラブ工法にあっては、コンクリートの打設時に埋込体が浮き上がったり、移動したりしてしまうという問題があった。
すなわち、埋込体は軽量材、例えば、発泡スチロールなどが使われるため、コンクリートの打設時に大きな浮力が掛かってしまい、埋込体をコンクリートスラブの所定の位置に置いたとしても移動してしまい、設計通りの位置に埋込体を埋設することは必ずしも容易なことではない。
【０００４】
このような埋込体の浮き上がり、移動を防止するものとして、縦横に配筋された上端筋のうち、一方の上端筋に対してほぼ平行に配置される２本の支持筋と、支持筋に接合され埋込体を固定する埋込体固定部による埋込体固定金具を、長さを通常の人間の両手を広げた長さに対応させて、用いたものがある。
以下に示す特許文献は、このような埋込体固定金具を上端筋の上に配置している。そして、埋込体固定金具は上端筋に対して結束することにより固定され、
埋込体固定金具が移動することもなく、埋込体を精度良く位置決めすることができる。また、埋込体固定金具の固定片を嵌入するだけで埋込体を固定することができるため、固定手段の構造が簡単で、その取付（固定）作業性をきわめて容易にすることができる。これにより、簡単な構造で埋込体をコンクリートスラブ内において設計上の所定の位置に埋設することができ、均質なコンクリートスラブを提供することができる。
このような技術に関してはたとえば特許文献１の広報に開示されている。
【特許文献１】特許公開２００５−１６３３４０
【発明の開示】
【発明が解決しようとする課題】
【０００５】
しかし、上記広報に記載されたボイドスラブ工法にあっては、埋込体固定金物と埋込体の分離作業と連結作業が頻繁に発生し、分離作業にあたり、埋込体が損傷することがあった。損傷した埋込体を埋込体固定金物に連結した場合、固定状態が不安定となり、また埋込体の破片が周辺へ飛散し、回収及び清掃が困難となる。
【０００６】
本発明は、上述した背景技術に鑑み成されたものであって、その目的は連結用金具と埋込体を容易に着脱できる構造を有した中空スラブ用中空部型枠埋込材を提供することである。
課題を解決するための手段
【０００７】
請求項１に記載した発明は、コンクリートスラブ内に四方に並列される小空間の中空部を形成する中空スラブ工法に用いられる中空部型枠埋込材（１０）であって、
2本の支持鉄筋（１１ａ）に一定間隔に設けられたT型鉄筋（１１ｂ）の下部に連結用ネジ（１１ｃ）が形成されている連結金具（１１）と
前記連結金具（１１）と螺合した埋込体（１２）、から成る事を特徴とする中空スラブ用中空部型枠埋込材（１０）である。
【０００８】
請求項２に記載した発明は、前記埋込体（１２）が、型枠外殻を２つ割りにした如き形状をし、前記連結用ねじ（１１ｃ）が貫通する貫通孔（１２ｂ）が形成された埋込体要素（１２ａ１、１２ａ２）と
円筒部（１３ａ）に前記連結用ネジ（１１ｃ）が螺合するめねじ孔（１３ｃ）と、前記貫通孔（１２ｂ）内で該円筒部（１３ａ）が回転することを防止する回転防止リブ（１３ｄ）と、該円筒部（１３ａ）が該貫通孔（１２ｂ）から引き抜かれることを防止したつば（１３ｅ）が設けられ、該貫通孔（１２ｂ）に前記埋込体要素（１２ａ１、１２ａ２）の内側から回転不能に押入れられることで該埋込体要素（１２ａ１、１２ａ２）と連結し、該連結用ねじ（１１ｃ）と螺合する支圧ナット（１３）と、
前記支圧ナット（１３）を押入れた前記埋込体要素（１２ａ１、１２ａ２）を開口周縁（１２ｃ）を合わせて組み立てることにより形成される事、を特徴とする請求項１に記載した中空スラブ用中空部型枠埋込材（１０）である
【発明の効果】
【０００９】
請求項１に記載した発明によれば、簡単な構造で埋込体（６）をコンクリートスラブ（１）内において設計上の所定の位置に埋設することができ、均質なコンクリートスラブ（１）を提供することができる。
【００１０】
請求項２に記載した発明によれば、上記埋込体要素（１２ａ）に連結金具下部（１１ｃ）と螺合する支圧ナット（１３）が回転不能に押入れてあるため、埋込体（１２）を回転することで支圧ナット（１３）が連結用ねじ（１１ｃ）と分離し、中空スラブ用中空部型枠埋込体（１０）から埋込体（１２）が容易に分離できる。
【発明を実施するための最良の形態】
【００１１】
図に示した通り本発明は中空スラブ工法専用の中空スラブ用中空部型枠埋込材（１０）であり、中空スラブ工法のコンクリート打設時の前作業に応用するものである。本発明の特徴は埋込体（１２）が確実に固定された中空スラブ用中空部型枠埋込材を提供することと、中空スラブ用中空部型枠埋込材（１０）から埋込体（１２）を容易に分離できる簡単な構造とすることである。
【実施例１】
【００１２】
以下、本発明の好ましい実施の形態ついて説明する。
本発明コンクリートスラブ内に四方に並列される小空間の中空部を形成する中空スラブ工法に用いられる中空スラブ用中空部型枠埋込材（１０）であって、
2本の支持鉄筋（１１ａ）に一定間隔に設けられたT型鉄筋（１１ｂ）の下部に連結用ネジ（１１ｃ）が形成されている連結金具（１１）と
前記連結金具（１１）と螺合した埋込体（１２）、から成る事を特徴とする中空スラブ用中空部型枠埋込材（１０）である。
【００１３】
また、本発明コンクリートボイドスラブ工法は、縦横に配筋された上端筋（４Ｘ、４Ｙ）と下端筋（３Ｘ、３Ｙ）との間に軽量材からなる埋込体（１２）位置させ、コンクリートＣを打設することにより上記埋込体（１２）、…をコンクリートスラブ１内に埋設するコンクリートボイドスラブ工法であって、縦横に配筋された上端筋（４Ｘ、４Ｙ）のうち、一方の上端筋（４ｘ）に対してほぼ平行に配置される支持鉄筋（１１ａ）と、上記支持鉄筋（１１ａ）に接合され上記埋込体（１２）に螺合する連結用ねじ（１１ｃ）を設けたＴ型鉄筋（１１ｂ）を有した連結金具（１１）を用い、該連結金具（１１）に埋込体（１１）を固定して中空部型枠埋込材（１０）した後、各埋込体６を縦横に配筋された上端筋（４Ｘ、４Ｙ）と下端筋（３Ｘ、３Ｙ）との間に上方から挿入して位置させ、中空部型枠埋込材（１０）を上端筋（４Ｙ）に固定した後、コンクリートＣを打設するようにしたものである。
【００１４】
例えば、コンクリートスラブ１の厚さが２５０ｍｍの場合、上端筋（４Ｘ、４Ｙ）と下端筋（３Ｘ、３Ｙ）はともにφ１３ｍｍの鉄筋が使用され、配筋ピッチ２５０ｍｍ（±１ｍｍ）で配筋されている。なお、「±１ｍｍ」は許容誤差を示す。また、上端筋（４Ｘ、４Ｙ）より上側の部分のコンクリートＣの厚さ（かぶり）及び下端筋（３Ｘ、３Ｙ）より下側の部分のコンクリートＣの厚さ（かぶり）をそれぞれ３０ｍｍとされる。
【００１５】
縦横に配筋された上端筋（４Ｘ、４Ｙ）は、例えば一定の配筋ピッチ２５０ｍｍで配筋された上端筋（４Ｘ）と、これと直交する方向に伸びるように配筋された上端筋（４Ｙ）とし、一方の上端筋（３Ｘ）は他方の上端筋３ｙの上側に載置されている。
また、縦横に配筋された下端筋（３Ｘ、３Ｙ）は、例えば一定の配筋ピッチ２５０ｍｍで配筋された下端筋（３Ｘ）と、これと直交する方向に伸びるように配筋された下端筋（３Ｙ）とし、一方の上端筋（３Ｘ）は他方の上端筋（３Ｙ）の上側に載置されている。そして、上端筋（４Ｙ）と下端筋（３Ｙ）との間の間隔が１３８ｍｍとされている。
【００１６】
この他、上記実施例において、上述した各部の寸法は本発明の一実施例における数値例であり、本発明はこれに限定されるものでないことは勿論である。
【図面の簡単な説明】
【００１７】
【図１】連結金具の立体図である。
【図２】中空スラブ用中空部型枠埋込材の立体図である。
【図３】中空スラブ用中空部型枠埋込材の断面図及び側面図である。
【図４】Ｔ型鉄筋の拡大図である。
【図５】支圧ナットの立体図である。
【図６】埋込体要素の立体図である。
【図７】本発明である中空スラブ用中空部型枠埋込材を用いたコンクリートスラブ施工法の作業手順を示したものである。
【符号の説明】
【００１８】
１ コンクリートスラブ
２ 型枠
３ 上端筋
３ｘ 一方の下端筋
３ｙ 他方の下端筋
４ 下端筋
４ｘ 一方の上端筋
４ｙ 一方の上端筋
１０中空スラブ用中空部型枠埋込材
１１連結用金具
１１ａ支持鉄筋
１１ｂＴ型鉄筋
１１ｃ連結用ねじ
１２埋込体
１２ａ埋込体要素
１２ｂ貫通孔
１２ｃ開口周縁
１３支圧ナット
１３ａ円筒部
１３ｂ開口周縁
１３ｄ回転防止リブ
１３ｅつば
Ｃ コンクリート
【図１】
2009167604.tif 000003
【図２】
2009167604.tif 000004
【図３】
2009167604.tif 000005
【図４】
2009167604.tif 000006
【図５】
2009167604.tif 000007
【図６】
2009167604.tif 000008
【図７】
2009167604.tif 000009